(57)【要約】【課題】健康器具として加温／冷却機能付きマイナスイオン発生手段の要望。【解決手段】格子袋配置固定手段２０がサンゴ砂１０を格子形状の空間に配置した状態でその表裏から格子袋状に固定。吸湿性のクッション材３０が上記のサンゴ砂１０を覆う。行動自在加温手段４０が上記の格子袋配置固定手段２０上の格子状に配置のサンゴ砂１０に平行して設けられ、着脱自在なパット内装物収納カバー５０が以上のものを覆う。上記の格子袋配置固定手段２０に代えて、波形袋配置固定手段２１を使用してもよい。また、上記の行動自在加温手段４０に代えて水性ポリマーを使用したもの等の蓄熱・伝熱手段４１を使用も可能。温源化学剤偏在阻止手段４２が、上記の行動自在加温手段４０等の表裏両面をその内部方向に押圧する。【選択図】　図１
2004113403.tif 000002
【特許請求の範囲】
【請求項１】
サンゴ砂／粉末、該サンゴ砂／粉末を密閉するサンゴ砂／粉末密閉袋、該サンゴ砂／粉末密閉袋の中のサンゴ砂／粉末を格子の空間に配置した状態でその表裏から格子袋状に固定する格子袋配置固定手段、該格子袋配置固定手段に固定された格子袋配置のサンゴ砂／粉末の一面側又は全面側を覆う綿などの通気性のある吸湿性のものであり且つ独自または上記の格子袋配置固定手段と兼用のクッション材、上記の格子袋配置固定手段中のサンゴ砂／粉末の面に平行して設けられた使い捨てカイロ等の身体の移動行動が自由な行動自在加温手段、以上の構成物を覆う通気性のよい着脱自在な着脱自在のパット内装物収納カバー、より構成されることを特徴としたマイナスイオン発生用サンゴを使用した身体の自由行動が可能なクッション材入り加温パット。
【請求項２】
サンゴ砂／粉末、該サンゴ砂／粉末を密閉するサンゴ砂／粉末密閉袋、該サンゴ砂／粉末密閉袋の中のサンゴ砂／粉末を格子の空間に配置した状態でその表裏から格子袋状に固定する格子袋配置固定手段、該格子袋配置固定手段に固定された格子袋配置のサンゴ砂／粉末の一面側又は全面側を覆う綿などの通気性のある吸湿性のものであり且つ独自または上記の格子袋配置固定手段と兼用のクッション材、上記の格子袋配置固定手段中のサンゴ砂／粉末の面に平行して設けられた使い捨てカイロ等の身体の移動行動が自由な水性ポリマーを使用したものなどの蓄熱・伝熱手段、以上の構成物を覆う通気性のよい着脱自在な着脱自在のパット内装物収納カバー、より構成されることを特徴としたマイナスイオン発生用サンゴを使用した身体の自由行動が可能なクッション材入り蓄熱・伝熱パット。
【請求項３】
サンゴ砂／粉末、該サンゴ砂／粉末を密閉するサンゴ砂／粉末密閉袋、該サンゴ砂／粉末密閉袋の中のサンゴ砂／粉末を波形の空間に配置空間に配置した状態でその表裏から波形袋状に固定する波形袋配置固定手段、該波形袋配置固定手段に固定された波形袋配置のサンゴ砂／粉末の一面側又は全面側を覆う綿などの通気性のある吸湿性のものであり且つ独自または上記の波形袋配置固定手段と兼用のクッション材、上記の波形袋配置固定手段中のサンゴ砂／粉末の面に平行して設けられた使い捨てカイロ等の身体の移動行動が自由な行動自在加温手段、以上の構成物を覆う通気性のよい着脱自在な着脱自在のパット内装物収納カバー、より構成されることを特徴としたマイナスイオン発生用サンゴを使用した身体の自由行動が可能なクッション材入り加温パット。
【請求項４】
サンゴ砂／粉末、該サンゴ砂／粉末を密閉するサンゴ砂／粉末密閉袋、該サンゴ砂／粉末密閉袋の中のサンゴ砂／粉末を波形の空間に配置空間に配置した状態でその表裏から波形袋状に固定する波形袋配置固定手段、該波形袋配置固定手段に固定された波形袋配置のサンゴ砂／粉末の一面側又は全面側を覆う綿などの通気性のある吸湿性のものであり且つ独自または上記の波形袋配置固定手段と兼用のクッション材、上記の波形袋配置固定手段中のサンゴ砂／粉末の面に平行して設けられた使い捨てカイロ等の身体の移動行動が自由な水性ポリマーを使用したものなどの蓄熱・伝熱手段、以上の構成物を覆う通気性のよい着脱自在な着脱自在のパット内装物収納カバー、より構成されることを特徴としたマイナスイオン発生用サンゴを使用した身体の自由行動が可能なクッション材入り蓄熱・伝熱パット。
【請求項５】
サンゴ砂／粉末、該サンゴ砂／粉末を密閉するサンゴ砂／粉末密閉袋、該サンゴ砂／粉末密閉袋の中のサンゴ砂／粉末を格子または波形の空間に配置した状態でその表裏から格子袋状または波形袋状に固定する格子袋／波形袋配置固定手段、該格子袋／波形袋配置固定手段に固定された格子袋／波形袋配置のサンゴ砂／粉末の一面側又は全面側を覆う綿などの通気性のある吸湿性のものであり且つ独自または上記の格子袋／波形袋配置固定手段と兼用のクッション材、上記の格子袋／波形袋配置固定手段中のサンゴ砂／粉末の面に平行して設けられた使い捨てカイロ等の身体の移動行動が自由な行動自在加温手段、該行動自在加温手段の表裏の全面に被せてその表裏両面から押圧しその内容物の偏在を阻止する餅網状または波形状の温源化学剤偏在阻止手段、以上の構成物を覆う通気性のよい着脱自在な着脱自在のパット内装物収納カバー、より構成されることを特徴としたマイナスイオン発生用サンゴを使用した身体の自由行動が可能なクッション材入り加温パット。
【請求項６】
サンゴ砂／粉末、該サンゴ砂／粉末を密閉するサンゴ砂／粉末密閉袋、該サンゴ砂／粉末密閉袋の中のサンゴ砂／粉末を格子または波形の空間に配置した状態でその表裏から格子袋状または波形袋状に固定する格子袋／波形袋配置固定手段、該格子袋／波形袋配置固定手段に固定された格子袋／波形袋配置のサンゴ砂／粉末の一面側又は全面側を覆う綿などの通気性のある吸湿性のものであり且つ独自または上記の格子袋／波形袋配置固定手段と兼用のクッション材、上記の格子袋／波形袋配置固定手段中のサンゴ砂／粉末の面に平行して設けられた使い捨てカイロ等の身体の移動行動が自由な水性ポリマーを使用したものなどの蓄熱・伝熱手段、該蓄熱・伝熱手段の表裏の全面に被せてその表裏両面から押圧しその内容物の偏在を阻止する餅網状または波形状の温源化学剤偏在阻止手段、以上の構成物を覆う通気性のよい着脱自在な着脱自在のパット内装物収納カバー、より構成されることを特徴としたマイナスイオン発生用サンゴを使用した身体の自由行動が可能なクッション材入り蓄熱・伝熱パット。
【発明の詳細な説明】
【０００１】
【発明の属する技術分野】
本発明は、広くは健康保持用のクッション材入りパットに関するものであり、特にサンゴを使用してマイナスイオンを発生させるクッション材入りパットに関するものである。就中、身体の部分加温も可能で血管を広げて血行増進にも役立ち、あるいは身体の部分冷却にも役立つ健康保持用のクッション材入りパットに関するものである。
【０００２】
【従来の技術】
マイナスイオンは、自然界では滝のしぶきや山林等に多く発生し、人間の精神を穏やかにして健康によいことはよく知られれている。特に、このマイナスイオンは、安眠や休息に大いに役立つものとなっている。このマイナスイオンを応用しようとアルカリ水を利用する器具がちまたに多く出回っている。サンゴやトルマリンを用いた器具もその一つである。
【０００３】
【発明が解決しようとする課題】
マイナスイオンを発生させるものは多く考えられているが、その殆どは大がかりなものか非常に高価なものであった。あるいは、マイナスイオンが発生するにはするが、その効果が非常に少ないものもある。また、その手段も、ベッド式や椅子タイプ式のものなどが多くて、その器具に寝そべるとか座るとかで、その使用者の身体がその器具にとらわれた格好となり、歩行とか仕事などの自由な行動がなせないものが殆どであった。
【０００４】
しかして、サンゴを使用してマイナスイオンを大量に発生させる器具も多く発明された。しかし、マイナスイオンのみでなく、これに加わって、身体の部分的な加温や冷却がこれに併用して相乗効果を上げる健康器具の開発も要望されるようになった。
【０００５】
一方、使い捨てカイロなどの行動自在加温手段や水性ポリマーを使用したものなどの蓄熱・伝熱手段（冷却パット）の内部に設けられたものであって、その加温や蓄熱・伝熱をする根元となる温源化学剤は、そのカイロや冷却パットを使用して歩行とか運動や動きの伴う仕事をするとその温源化学剤が下方に偏って使用しにくくなってくる。そこで、この温源化学剤の偏在を阻止手段の要望が生じてきた。
【０００６】
【課題を解決するための手段】
サンゴは自然の状態においてもマイナスイオンを発生させるが、その状態での発生量は非常に微少なものである。しかし、このサンゴを水に接触させ振動等の動きのある機械的な外力を与えるとそのマイナスイオンの発生率が驚くほどに向上することが分かった。それで、本願発明は、この技術を応用したものである。また、サンゴ砂／粉末を繊維に混入した種種の発明も為されたが、サンゴ砂／粉末を繊維に混入するには、その粒径の揃えなど特別な技術が必要となるるそれゆえに、それを避けた簡単な手段が要求されるゆえ、サンゴの簡単な固定化を図りこれを解決したものである。
【０００７】
本発明にかかるマイナスイオン発生用サンゴを使用した身体の自由行動が可能なクッション材入り加温パットと蓄熱・伝熱パットは、以上の課題を解決するために、その使用者の身体から発生する汗等の水分を吸収する吸湿性クッション材を利用したものである。そして、この吸湿性クッション材に含まれる水分をその格子袋／波形袋配置のサンゴ砂などに作用させるようにしたものである。その上に、このパットを使用する者の身体の動きを、そのサンゴ砂等への外力として利用した。
【０００８】
そして、そのサンゴは、サンゴ砂／粉末を格子袋／波形袋配置の固定手段の袋状の各部屋に閉じ込めるようにしたものである。そして、そのパット使用者の身体の動きをその外力として、その格子袋／波形袋配置のサンゴ砂／粉末与えるようにして、マイナスイオンの発生を図ったものとした。
【０００９】
その上に、身体の加温や冷却が簡単にできで、身体の移動行動が全く自由なパットにしたものである。また、懐炉等の行動自在加温手段または冷却パットなどの蓄熱・伝熱手段の内部に設けられていて、その加温や蓄熱・伝熱をする化学剤である温源化学剤の偏在を阻止するための餅網状などの押圧手段を有する温源化学剤偏在阻止手段をも設けたものである。
【００１０】
しかして、本願発明の明細書における「熱」とか「温」という意味は、「高い温度」のみを意味するものではなく、冷蔵庫で水性ポリマーを使用したもの等の冷却物である蓄熱・伝熱手段を冷やす程度の「冷却熱」から身体を暖める程度の「高い温度」に至る幅広い温度を意味するものである。
【００１１】
以下に、本発明にかかるマイナスイオン発生用サンゴを使用した身体の自由行動が可能なクッション材入り加温パットと蓄熱・伝熱パットの具体的な構成を詳細に記載する。最初に、本発明の請求項１に記載した発明のマイナスイオン発生用サンゴを使用した身体の自由行動が可能なクッション材入り加温パットの構成を説明する。この発明は、まず、サンゴ砂／粉末がある。つぎに、サンゴ砂／粉末密閉袋がある。このサンゴ砂／粉末密閉袋は上記のサンゴ砂／粉末を密閉するものである。そして、格子袋配置固定手段がある。この格子袋配置固定手段は、上記のサンゴ砂／粉末密閉袋の中のサンゴ砂／粉末を格子形状の空間に配置した状態でミシン縫いや接着とかあるいは押圧手段などによりその表裏から格子袋状に格子形状の接触箇所を固定したものである。
【００１２】
さらに、綿などの通気性のある吸湿性のクッション材がある。この綿などの通気性のある吸湿性のクッション材は、上記の格子袋配置固定手段に固定された格子袋配置サンゴ砂／粉末の一面側又は全面側を覆うものである。なお、このクッション材は、これ自身独自のものとしても成り立つが、上記の格子袋配置固定手段と兼用のものとしてもよい。そして、電気ヒーターのごとくに電気コードによりその行動範囲が束縛されない使い捨てカイロ等の身体の移動行動が自由な行動自在加温手段がある。この行動自在加温手段は、上記の格子袋配置固定手段上の格子状に配置のサンゴ砂／粉末に平行して設けられたものである。最後に、通気性のよい着脱自在な着脱自在のパット内装物収納カバーがある。この通気性のよい着脱自在な着脱自在のパット内装物収納カバーは、以上の構成物を覆うものである。
【００１３】
つぎに、本発明にかかるマイナスイオン発生用サンゴを使用した身体の自由行動が可能なクッション材入り加温パットと蓄熱・伝熱パットの請求項２に記載した発明のマイナスイオン発生用サンゴを使用した身体の自由行動が可能なクッション材入り蓄熱・伝熱パットの構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、上記の行動自在加温手段に代えて水性ポリマーを使用したものなどの蓄熱・伝熱手段を使用していることである。この蓄熱・伝熱手段は、外部からの加温あるいは冷却によりその温度（低温から適度の高温）をその内部に蓄積してその温度を身体などの目的物に供給し、その身体等を加温したり涼めたりすると言うものである。
【００１４】
そして、本発明にかかるマイナスイオン発生用サンゴを使用した身体の自由行動が可能なクッション材入り加温パットと蓄熱・伝熱パットの請求項３に記載した発明のマイナスイオン発生用サンゴを使用した身体の自由行動が可能なクッション材入り加温パットの構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、上記の格子袋配置固定手段に代えて波形袋配置固定手段を使用していることである。この波形袋配置固定手段は、サンゴ砂／粉末を波形袋配置の空間に配置した状態でその表裏から波形袋状配置にその固定部を固定するものである。
【００１５】
さらに、本発明にかかるマイナスイオン発生用サンゴを使用した身体の自由行動が可能なクッション材入り加温パットと蓄熱・伝熱パットの請求項４に記載した発明のマイナスイオン発生用サンゴを使用した身体の自由行動が可能なクッション材入り蓄熱・伝熱パットの構成を説明する。この発明は、以下の点以外は上記の請求項３の発明の構成と同一である。それゆえに、上記の請求項３の発明の構成の説明の全文をここに援用して、以下の構成の説明をこれに追加する。この発明と上記の請求項３の発明の構成との差異は、上記の行動自在加温手段に代えて水性ポリマーを使用したものなどの蓄熱・伝熱手段を使用していることである。この蓄熱・伝熱手段は、外部からの加温あるいは冷却によりその温度（低温から適度の高温）をその内部に蓄積してその温度を身体などの目的物に供給し、その身体等を加温したり涼めたりすると言うものである。
【００１６】
そして、本発明にかかるマイナスイオン発生用サンゴを使用した身体の自由行動が可能なクッション材入り加温パットと蓄熱・伝熱パットの請求項５に記載した発明のマイナスイオン発生用サンゴを使用した身体の自由行動が可能なクッション材入り加温パットの構成を説明する。この発明は、まずサンゴ砂／粉末がある。つぎに、サンゴ砂／粉末密閉袋がある。このサンゴ砂／粉末密閉袋は上記のサンゴ砂／粉末を密閉するものである。そして、格子袋／波形袋配置固定手段がある。この格子袋／波形袋配置固定手段は、上記のサンゴ砂／粉末密閉袋の中のサンゴ砂／粉末を格子または波形の空間に配置した状態でその表裏から格子袋状または波形袋状に固定するものである。そして、クッション材がある。このクッション材は、上記の格子袋／波形袋配置固定手段に固定された格子袋または波形袋配置のサンゴ砂／粉末の一面側又は全面側を覆う綿などの通気性のある吸湿性のものであり且つ独自または上記の格子袋／波形袋配置固定手段と兼用のものである。
【００１７】
さらに、行動自在加温手段がある。この行動自在加温手段は、上記の格子袋／波形袋配置固定手段中のサンゴ砂／粉末の面に平行して設けられた使い捨てカイロ等の身体の移動行動が自由なものである。そして、温源化学剤偏在阻止手段がある。この温源化学剤偏在阻止手段は、上記の行動自在加温手段の表裏の全面に被せてその表裏両面から押圧して、その内容物の偏在を阻止する餅網状または波形状のものである。最後に、パット内装物収納カバーがある。このパット内装物収納カバーは、以上の構成物を覆う通気性のよい着脱自在な着脱自在のものである。
【００１８】
最後に、本発明にかかるマイナスイオン発生用サンゴを使用した身体の自由行動が可能なクッション材入り加温パットと蓄熱・伝熱パットの請求項６に記載した発明のマイナスイオン発生用サンゴを使用した身体の自由行動が可能なクッション材入り蓄熱・伝熱パットの構成を説明する。この発明は、以下の点以外は上記の請求項５の発明の構成と同一である。それゆえに、上記の請求項５の発明の構成の説明の全文をここに援用して、以下の構成の説明をこれに追加する。この発明と上記の請求項５の発明の構成との差異は、上記の行動自在加温手段に代えて水性ポリマーを使用したものなどの蓄熱・伝熱手段を使用していることである。この蓄熱・伝熱手段は、外部からの加温あるいは冷却によりその温度（低温から適度の高温）をその内部に蓄積してその温度を身体などの目的物に供給し、その身体等を加温したり涼めたりすると言うものである。
【００１９】
【発明の実施の形態】
以下に、本発明にかかるマイナスイオン発生用サンゴを使用した身体の自由行動が可能なクッション材入り加温パットと蓄熱・伝熱パットの一般的な実施の形態を述べる。まず、格子袋配置固定手段または波形状配置固定手段が、マイナスイオン発生用のサンゴ砂／粉末を格子形状または波形状の空間に配置した格子状または波形状配置のサンゴ砂／粉末を格子状または波形状に固定する。
【００２０】
通気性のある吸湿性のクッション材が、通気性のある吸湿性のクッション材は、上記の格子袋配置固定手段に固定された格子袋配置のサンゴ砂／粉末の一面側を覆っており、このサンゴ砂／粉末に湿気を与えてそのサンゴ砂／粉末からマイナスイオンを放出をさせる。
【００２１】
さらに、行動自在加温手段が、上記の固定手段上のサンゴ砂／粉末に平行して設けられ、冬季時の使用における加温をする。一方、この行動自在加温手段に代えて水性ポリマーを使用したものなどの蓄熱・伝熱手段を使用して、外部からの加温あるいは冷却によりその温度（冷却温から適度の高い温度）をその内部に蓄積して、その温度を身体に供給（伝熱）するようにして、その繰り返し使用を可能とするばかりでなく、水枕のようにその身体の局部を冷やすこともできる。最後に、着脱自在のパット内装物収納カバーが、以上の構成物を覆う通気性のよいカバーとなり、マイナスイオンの放出を許容する。また、このパット内装物収納カバーは、着脱自在なので、上記の行動自在加温手段や蓄熱・伝熱手段の出し入れに役立ち、繰り返しての使用に供する。
【００２２】
最後に、餅網状の温源化学剤偏在阻止手段があって、上記の行動自在加温手段または蓄熱・伝熱手段の表裏の全面に被せてその表裏両面から押圧しその行動自在加温手段または蓄熱・伝熱手段の内容物の偏在を阻止する。
【００２３】
【実施例】
しかして、本発明にかかるマイナスイオン発生用サンゴを使用した身体の自由行動が可能なクッション材入り加温パットと蓄熱・伝熱パットをその具体的な実施例を用いて添付の図面と共に詳細に述べる。この発明の第１の実施例では、図１に示すその側面展開図のごとくに、まずサンゴ砂／粉末１０がある。つぎに、サンゴ砂／粉末密閉袋２０ｂがある。このサンゴ砂／粉末密閉袋２０ｂは上記のサンゴ砂／粉末１０を密閉するものである。そして、格子袋配置固定手段２０がある。この格子袋配置固定手段２０は、上記のサンゴ砂／粉末密閉袋２０ｂの中のサンゴ砂／粉末１０を格子形状の空間に配置した状態でミシン縫いなどでその表裏から格子袋状にその格子形状部分（格子状固定部２０ａ）を固定するものである。しかして、この格子袋配置固定手段２０の別な実施例として、図４に示すように、上記のサンゴ砂／粉末１０を密閉したサンゴ砂／粉末密閉袋２０ｂと餅網状の一対のサンゴ砂／粉末偏在阻止手段２０ｃとを用いて、そのサンゴ砂／粉末密閉袋２０ｂの表裏の全面にその一対のサンゴ砂／粉末偏在阻止手段２０ｃを被せて、そのサンゴ砂／粉末密閉袋２０ｂの表裏両面からゴムバンド２０ｄなどで押圧し、網状押圧部２０ｅがそのサンゴ砂／粉末１０の偏在を阻止するものとしてもよい。
【００２４】
一方、上記の格子袋配置固定手段２０の別な実施例として、図５に示すように、波形袋配置固定手段２１を使用してもよい。この波形袋配置固定手段２１は、上記のサンゴ砂／粉末１０を波形袋配置の空間に配置した状態であって、その表裏から波形袋状配置の波状の谷間となる波形状固定部２１ａを固定するものである。しかしてこれも、この波形状配置固定手段２１の別な実施例として、上記のサンゴ砂／粉末１０を密閉したサンゴ砂／粉末密閉袋２０ｂとその波状押圧部２１ｅが平行柵状の一対のサンゴ砂／粉末偏在阻止手段２１ｃとを用いて、そのサンゴ砂／粉末密閉袋２０ｂの表裏の全面にその一対のサンゴ砂／粉末偏在阻止手段２１ｃを被せて、そのサンゴ砂／粉末密閉袋２０ｂの表裏両面からゴムバンドなど２１ｄで押圧して、その波状押圧部２１ｅがそのサンゴ砂／粉末１０の偏在を阻止するものとしてもよい。
【００２５】
そして、綿などの通気性のある吸湿性のクッション材３０がある。この綿などの通気性のある吸湿性のクッション材３０は、上記の格子袋配置固定手段２０に固定された格子袋配置のサンゴ砂／粉末１０の一面側を覆っている。なお、図示の実施例では、このクッション材３０は、そのサンゴ砂／粉末１０の一面側のみを覆っているが、これをその全面を覆うものとしてもよい。また、このクッション材３０は、図１の実施例に示すごとくに、これ自身で独自のクッション材としても成り立つものである。しかし、図２の実施例に示すごとくに、これを厚手の不織布等を用いて上記の格子袋配置固定手段２０と一体化することにより、これを固定手段兼用クッション材３１としてもよい。
【００２６】
さらに、行動自在加温手段４０がある。この行動自在加温手段４０は、電気ヒーターのごとくに電気コードによりその行動範囲が束縛されないものであって、使い捨てカイロ等の身体の移動行動が自由なものである。この行動自在加温手段４０は、上記の格子袋配置固定手段２０上の格子状に配置のサンゴ砂／粉末１０に平行して設けられたものである。なお、この行動自在加温手段４０は、使い捨てタイプのものばかりでなく、外部からのお湯などにより加熱されてその熱をその内部に保持し、その熱で身体を保温する蓄熱・伝熱タイプのものにすると、繰り返し使用できて経済的である。
【００２７】
しかして、本願発明の別な実施例では、上記の行動自在加温手段４０に代えて水性ポリマーを使用したものなどの蓄熱・伝熱手段４１を使用している。この蓄熱・伝熱手段４１は、自らが発熱したり冷却したりするものではない。この蓄熱・伝熱手段４１は、お湯や冷蔵庫の温冷熱によっての外部からの加温あるいは冷却によりその温度（低温から適度の高い温度）をその内部に蓄積してその温度を手や足とか腰や肩やさらに頭部などの身体に供給（伝熱）して、その手や足とか腰や肩やさらに頭部などの身体の局部を保温したり涼めたりすると言うものである。なお、この蓄熱・伝熱手段４０ａは、図２のみに示されているが、これは図１の行動自在加温手段４０の箇所に入れ替えて使用してもよい。また逆に、この図１の行動自在加温手段４０を、図２の蓄熱・伝熱手段４０ａの箇所に入れ替えて使用してもよい。
【００２８】
そして、上記の行動自在加温手段４０または蓄熱・伝熱手段４１の内部に設けられ、その加温や蓄熱・伝熱をする根元である温源化学剤の偏在を阻止する温源化学剤偏在阻止手段４２がある。この温源化学剤偏在阻止手段４２は餅網状のもので一対のものから成り、上記の行動自在加温手段４０または蓄熱・伝熱手段４１の表裏の全面に被せてその表裏両面からその内部方向にゴムバンド４２ａ等で、温源化学剤押圧部４２ｂが押圧するようにする。これにより、その行動自在加温手段４０または蓄熱・伝熱手段４１の内容物の偏在を阻止すると、このパットを着用した場合にその行動自在加温手段または蓄熱・伝熱手段４１の中の加温や蓄熱・伝熱をする化学剤が偏在しないでよい。
【００２９】
最後に、通気性のよい着脱自在なパット内装物収納カバー５０がある。この通気性のよい着脱自在なパット内装物収納カバー５０は、以上の構成物である上記の格子袋／波形袋配置のサンゴ砂／粉末１０，格子袋配置固定手段２０／波状配置固定手段３０ａ，クッション材３０，と行動自在加温手段４０／蓄熱・伝熱手段４０ａの全てをそれぞれに覆うカバーで、その挿入口には面状ファスナーなどの開閉手段が設けられている。
【００３０】
【発明の効果】
本発明にかかるマイナスイオン発生用サンゴを使用した身体の自由行動が可能なクッション材入り加温パットと蓄熱・伝熱パットは、以上のごとくになしたゆえに、上記の課題を解決して以下のごとき多大な効果が生じた。すなわち、本願発明のパットを利用することによって、仕事とか歩行等で身体を自由に移動することができる状態で、その者に十分なマイナスイオンを与えられる。それによって、その身体と精神を安静にさせることができた。
【００３１】
また、加温が必要なときに自由にその者の手や足とか腰や肩やさらに頭部などの身体の局部を加温をして、その血行をよくすることもで基礎の相乗効果も望めた。そして、逆に手や足とか腰や肩やさらに頭部などの身体の局部の冷却も可能となり、水枕のように東亜部の冷却も可能になり、精神的にそして身体的に健康増進に役立つものとなった。
【００３２】
そして、このサンゴのマイナスイオン発生手段を布団に応用した場合には、その布団で寝る者のみしかそれを利用できないが、これは布団と異なり家族全体等の大勢の者か１個のパットを利用できるものとなった。それゆえに、このパットは、大変に経済的なものでもある。
【００３３】
さらに、その加温パットに使い捨てのものの利用も可能であるが、これを蓄熱性のものとすれば、繰り返してしようができて経済的である。特に、蓄熱・伝熱パットは、その効果が大きいものとなる。
【００３４】
その上に、本願発明のパットは、その加温や蓄熱・伝熱をする根元となる温源化学剤は、ゴルフなどの運動や動きの伴う激しい仕事をしてもその温源化学剤が下方に偏って使用しにくくなってくることはなくなった。
【図面の簡単な説明】
【図１】本発明にかかるマイナスイオン発生用サンゴ使用のクッション材入りパットの一実施例の図を示したものであって、そのＡはその側面の一部省略拡大分解図であり、そのＢはその格子袋配置サンゴ砂／粉末が表裏２枚１組から成る格子袋配置固定手段に装着された状態での、その部分の側面の一部省略拡大断面図を示したものである。
【図２】本発明の別の実施例の図を示したものであって、そのＡはその側面の一部省略拡大分解図であり、そのＢはその波形袋配置サンゴ砂／粉末が固定手段と固定手段兼用クッション材に装着された状態での、その部分の側面の一部省略拡大断面図を示したものである。
【図３】本願発明に使用の格子袋配置固定手段の別な実施例を示したものであって、餅網状のサンゴ砂／粉末偏在阻止手段としたものの一枚の一部省略拡大平面図である。
【図４】本願発明に使用の波形袋配置固定手段のそのまた別な実施例を示したものであって、平行柵状のサンゴ砂／粉末偏在阻止手段としたものの一枚の一部省略拡大平面図である。
【図５】本願発明に使用の固定手段のそれぞれ図３と４のものの実施例で、そのＡは、格子状のサンゴ砂／粉末偏在阻止手段をサンゴ砂／粉末密閉袋に装着した状態の拡大側面図であり、そのＢは平行柵状のサンゴ砂／粉末偏在阻止手段をサンゴ砂／粉末密閉袋に装着した状態の拡大側面図を示したものである。
【図６】本願発明に使用の温源化学剤偏在阻止手段の実施例の一枚の一部省略拡大平面図である。
【図７】図６の温源化学剤偏在阻止手段を加温手段または蓄熱・伝熱手段に装着した状態の拡大側面図である。
【符号の説明】
１０　サンゴ砂／粉末
２０　格子袋配置固定手段
２０ａ　格子状固定部
２０ｂ　サンゴ砂／粉末密閉袋
２０ｃ　サンゴ砂／粉末偏在阻止手段
２０ｄ　ゴムバンド
２０ｅ　格子状押圧部
２１　波形袋配置固定手段
２１ａ　波形状固定部
２１ｃ　サンゴ砂／粉末偏在阻止手段
２１ｄ　ゴムバンド
２１ｅ　波状押圧部
３０　クッション材
３１　固定手段兼用クッション材
４０　行動自在加温手段
４１　蓄熱・伝熱手段
４２　温源化学剤偏在阻止手段
５０　パット内装物収納カバー
【図１】
2004113403.tif 000003
【図２】
2004113403.tif 000004
【図３】
2004113403.tif 000005
【図４】
2004113403.tif 000006
【図５】
2004113403.tif 000007
【図６】
2004113403.tif 000008
【図７】
2004113403.tif 000009